(57)【要約】      （修正有）【課題】製造コストを抑えて短時間に汚れを落とせる靴清掃装置を提供する。【解決手段】靴清掃装置１０は、靴Ｓの汚れを除去する装置である。靴清掃装置１０は、ケース１２と、靴載置部１４と、複数の空気ノズル１６ａ〜１６ｈと、靴検出部１８と、圧縮空気供給部２０と、を備える。ケースは、内部空間１２ａと、靴を履いた状態で靴を内部空間に挿入可能かつ前後に移動可能に設けられる開口と、を有する。靴載置部は、内部空間に設けられ、靴を載置可能に簀の子状に形成される。複数の空気ノズルは、靴載置部の前上方、両側上方、及び下方から、靴載置部に載置された靴に向けて圧縮空気を吹き出し可能に内部空間に配置される。靴検出部は、靴載置部に靴が載置されているか否かを検出する。圧縮空気供給部は、靴が載置されていることを靴検出部が検出すると、複数の空気ノズルに圧縮空気を供給する。【選択図】図２
0003193445.tif 000002
【実用新案登録請求の範囲】
【請求項１】
靴の汚れを除去する靴清掃装置であって、
内部空間と、前記靴を履いた状態で前記靴を前記内部空間に挿入可能かつ前後に移動可能に設けられる開口と、を有するケースと、
前記内部空間に設けられ、前記靴を載置可能にスノコ状に形成された靴載置部と、
前記靴載置部の前上方、両側上方、及び下方の少なくともいずれかから、前記靴載置部に載置された靴に向けて圧縮空気を吹き出し可能に前記内部空間に配置された複数の空気ノズルと、
前記靴載置部に前記靴が載置されているか否かを検出する靴検出部と、
前記複数の空気ノズルに空圧源からの圧縮空気を供給するための圧縮空気供給部と、
を備える靴清掃装置。
【請求項２】
前記靴が載置されていることを前記靴検出部が検出すると、前記圧縮空気供給部に圧縮空気を与える空気制御部をさらに備える、請求項１に記載のる靴清掃装置。
【請求項３】
前記靴載置部は、前記ケースに第１位置と前記第１位置よりも下方の第２位置との間で上下に移動可能に取り付けられ、
前記靴載置部を前記第１位置に向けて付勢する付勢部材をさらに備え、
前記靴検出部は、前記靴載置部が前記第１位置よりも前記第２位置側に移動すると、前記靴載置部に前記靴が載置されたことを検出するセンサを有する、請求項１又は２に記載の靴清掃装置。
【請求項４】
前記靴載置部は、前記ケースに前記第１位置と前記第２位置とに揺動自在に取り付けられる、請求項３に記載の靴清掃装置。
【請求項５】
前記内部空間に貯まった前記汚れを吸引する吸引装置をさらに備える、請求項１から４のいずれか１項に記載の靴清掃装置。
【考案の詳細な説明】
【技術分野】
【０００１】
本考案は、清掃装置、特に、靴に付着した芝生、泥、雪などの汚れを除去する靴清掃装置に関する。
【背景技術】
【０００２】
ゴルフ場では、ぬかるみや芝生の上を歩くことがある。スキー場では、雪面を歩いたり、雪面をスキーやスノーボードで滑ったりする。このような環境では、泥、芝生、雪などの汚れが靴に付着することがある。従来は、このような汚れは、例えば、建物の外に配置された空気ノズル又はブラシによって除去している。空気ノズルで汚れを除去すると、汚れが飛散することがある。
【０００３】
そこで、ボックス内に靴を載置して空気ノズルとブラシとによって汚れを除去する靴清掃装置が従来知られている（特許文献１参照）。従来の靴清掃装置では、ボックス内でシリンダによって空気ノズルを移動させて靴の汚れを除去している。このため、汚れが飛散しにくい。
【先行技術文献】
【特許文献】
【０００４】
【特許文献１】特開平４−３５７９１８号公報
【考案の概要】
【考案が解決しようとする課題】
【０００５】
従来の靴清掃装置では、空気ノズルを移動させて汚れを落としているので、汚れを落とすのに長時間を要する。また、空気ノズルを移動させる機構が必要であり、構成が複雑になり、製造コストが増加する。
【０００６】
本考案の課題は、靴清掃装置において、製造コストを抑えて短時間に汚れを落とせるようにすることにある。
【課題を解決するための手段】
【０００７】
本考案に係る靴清掃装置は、靴の汚れを除去する装置である。靴清掃装置は、ケースと、靴載置部と、複数の空気ノズルと、靴検出部と、圧縮空気供給部と、を備える。ケースは、内部空間と、靴を履いた状態で靴を内部空間に挿入可能かつ前後に移動可能に設けられる開口と、を有する。靴載置部は、内部空間に設けられ、靴を載置可能に簀の子状に形成される。複数の空気ノズルは、靴載置部の前後上方、両側上方、及び下方の少なくともいずれかから、靴載置部に載置された靴に向けて圧縮空気を吹き出し可能に内部空間に配置される。靴検出部は、靴載置部に靴が載置されているか否かを検出する。圧縮空気供給部は、靴が載置されていることを靴検出部が検出すると、複数の空気ノズルに圧縮空気を供給する。
【０００８】
この靴清掃装置では、靴を靴載置部に載置し、靴検出部が靴を検出すると、その間複数の空気ノズルから圧縮空気が靴の前後上面、側面及び下面に向けて噴射する。これによって、汚れが除去され靴がきれいになる。ここでは、複数の空気ノズルで靴の汚れを除去するので、空気ノズルの移動機構が不要になり、汚れを短時間で除去できるとともに靴清掃装置の製造コストを低減できる。また、使用者が靴を前後に往復移動させることにより、汚れを除去できる。
【０００９】
靴載置部は、前記ケースに第１位置と前記第１位置よりも下方の第２位置との間で上下に移動可能に取り付けられてもよい。靴清掃装置は、靴載置部を第１位置に向けて付勢する付勢部材をさらに備える。靴検出部は、靴載置部が第１位置よりも第２位置側に移動すると、靴載置部に靴が載置されたことを検出するセンサを有する。この場合には、口を靴載置部に載置するだけで空気ノズルから空気が吹き出すので、清掃のための操作が不要である。
【００１０】
靴載置部は、ケースに前記第１位置と第２位置とに揺動自在に取り付けられてもよい。この場合には、簡素な構成で靴載置部を移動させることができる。
【００１１】
靴清掃装置は、内部空間に貯まった汚れを吸引する吸引装置をさらに備えてもよい。この場合には、除去された汚れが内部空間から排出されるので、靴清掃装置のメンテナンスが容易である。
【考案の効果】
【００１２】
本考案によれば、複数の空気ノズルで靴の汚れを除去するので、空気ノズルの移動機構が不要になり、汚れを短時間で除去できるとともに靴清掃装置の製造コストを低減できる。
【図面の簡単な説明】
【００１３】
【図１】本考案の一実施形態による靴清掃装置の斜視図。
【図２】蓋部材を外した状態の靴清掃装置の平面図。
【図３】図２の切断線      III−IIIによって切断した断面図。
【考案を実施するための形態】
【００１４】
図１から図３において、本考案の一実施形態による靴清掃装置１０は、靴Ｓの汚れを除去するため用いられる。靴清掃装置１０は、内部空間１２ａと開口１２ｂとを有する、図１に示すケース１２と、内部空間１２ａに設けられる、図２及び図３に示す靴載置部１４と、複数（例えば８つ）の空気ノズル１６ａ〜１６ｈと、靴検出部１８と、圧縮空気供給部２０と、を備える。また靴清掃装置１０は、空圧源２２と、空気制御部２４と、吸引装置２６と、付勢部材２８と、をさらに備える。
【００１５】
ケース１２は、ステンレス合金及び鋼板等の金属製又は合成樹脂製である。ケース１２は、長手方向を有する、概ね矩形箱状の部材である。ケース１２は、内部空間１２ａを有し、上部が開口するケース本体１３ａと、ケース本体１３ａの上部を覆う蓋部材１３ｂを有する。蓋部材１３ｂは、ケース本体１３ａにネジ止めされる。開口１２ｂは、蓋部材１３ｂ及びケース本体１３ａの長手方向の一端側の側面１３ｃに、内部空間１２ａに連なるように設けられる。開口１２ｂは、靴Ｓを履いた状態で靴Ｓを内部空間１２ａに挿入可能かつ前後に移動可能に設けられる。ケース本体１３ａは、短手方向の両端の側面１３ｅ、１３ｆに固定される手すり１２ｃをさらに有する。なお、図２及び図３には、手すり１２ｃを描いていない。手すり１２ｃは、空気制御部２４を固定すると共に、靴清掃装置１０の使用者が靴Ｓを前後移動させるとき、使用者の体を安定させるために設けられる。
【００１６】
手すり１２ｃには、靴Ｓを靴載置部１４に載置すると圧縮空気を空気ノズル１６ａ〜１６ｈから吹き出させるための空気制御部２４が固定される。空気制御部２４の内部には、図示しない少なくとも一つの電磁弁及びリレー又はマイクロコンピュータを含み電磁弁を制御する制御盤２４ａが搭載されている。空気制御部２４には、空圧源２２からのエアチューブ２２ａが接続される。また、空気制御部２４には、ケース１２から延びるエアチューブ２２ｂも接続される。空圧源２２は、例えばコンプレッサである。なお、靴清掃装置１０が設置される場所に空圧源がある場合は、空圧源２２を設けずに、設置される場所の空圧源から圧縮空気を供給してもよい。
【００１７】
靴載置部１４は、内部空間１２ａに前後方向に沿って設けられ、靴Ｓを載置可能かつ靴Ｓを前後移動可能な長さにスノコ状に形成される。靴載置部１４は、複数本（例えば３本から６本）のステンレス合金製の平鋼形状のスノコ部材１４ａを左右方向に並べて配置して構成される。複数のスノコ部材１４ａは、基端部（図２左側端部）と先端部（図２右端部）とで、それぞれ丸棒状の連結部材１４ｂによって間隔を隔てて固定される。靴載置部１４は、ケース１２のケース本体１３ａの底面１３ｇに図３に実線で示した第１位置と、第１位置よりも下方の二点鎖線で示した第２位置との間で上下に移動可能に取り付けられる。本実施形態では、靴載置部１４は、両端部が底面１３ｇに固定された前後２組の昇降支持部３０によって昇降自在に底面１３ｇに取り付けられる。それぞれの昇降支持部３０は、連結部材１４ｂの両端を昇降自在に支持する。靴載置部１４の両端はコイルバネの形態の付勢部材２８によって第１位置に向けて付勢される。各昇降支持部３０は、連結部材１４ｂの両端を支持するブラケット３２と、ブラケット３２を昇降自在に支持する支持軸３４と、を有する。ブラケット３２は、底面１３ｇとブラケット３２の間で、支持軸３４の外周側に圧縮して配置された付勢部材２８によって上方に付勢される。これによって、靴載置部１４は第１位置に向けて付勢される。くつＳが靴載置部１４に載置されると、荷重によって靴載置部１４は第１位置から第２位置に下降する。なお、第２位置に下降すると、靴載置部１４のスノコ部材１４ａの下面が前後２組のストッパ３５によって支持される。これによって、第２位置で靴載置部１４の姿勢が安定する。
【００１８】
空気ノズル１６ａ〜１６ｈは、靴載置部１４の前後上方、両側上方、及び下方の少なくともいずれかから、靴載置部１４に載置された靴Ｓに向けて圧縮空気を吹き出し可能に内部空間１２ａに配置される。空気ノズル１６ａ，１６ｂは、靴Ｓの踵部を含む後部に左右の斜め上方から圧縮空気を吹き付けるために設けられる。空気ノズル１６ｃ，１６ｄは、靴Ｓの中間部の両側部に左右の斜め上方から圧縮空気を吹き付けるために設けられる。空気ノズル１６ｅは、靴Ｓの前部の斜め上方から圧縮空気を吹き付けるために設けられる。空気ノズル１６ｆ，１６ｇ，１６ｈは、左右に並べて配置され、靴Ｓの下面に下方から圧縮空気を吹き付けるために設けられる。なお、空気ノズルの個数及び配置場所は、清掃対象の靴の種類に応じて適宜に設定できる。
【００１９】
靴検出部１８は、靴載置部１４に靴Ｓが載置されているか否かを検出する。靴検出部１８は、靴載置部１４が第２位置にあるか否かによって、靴Ｓが靴載置部１４に載置されたことを検出する。本実施形態では靴検出部１８は、靴載置部１４の左右両側のスノコ部材１４ａの下面に接触し、靴載置部１４が第１位置から第２位置に揺動するとその途中でオンする一対のリミットスイッチ１８ａを含む。リミットスイッチ１８ａは、センサの一例である。なお、リミットスイッチ１８ａを一対設けたのは検出精度を高めるためであり、リミットスイッチ１８ａは、少なくとも一つあればよい。また、リミットスイッチ１８ａに代えて、例えば非接触で検出可能なホール素子を用いてもよい。この場合、スノコ部材１４ａに検出用の磁石を設ければよい。これによって、靴検出部１８に泥などの汚れが付着しても検出精度が劣化しにくい。
【００２０】
圧縮空気供給部２０は、空気制御部２４と接続されるエアチューブ２２ｂが接続される空気マニホールド３６と、空気マニホールド３６と空気ノズル１６ａ〜１６ｈとを接続する複数の空気配管３８ａ〜３８ｄを有する。空気配管３８ａは、空気マニホールド３６と、空気ノズル１６ａ及び１６ｃと、を接続する。空気配管３８ｂは、空気マニホールド３６と、空気ノズル１６ｂ及び１６ｄと、を接続する。空気配管３８ｃは、空気マニホールド３６と、空気ノズル１６ｅと、を接続する。空気配管３８ｂは、空気マニホールド３６と、空気ノズル１６ｆ、１６ｇ及び１６ｈと、を接続する。空気配管３８ａ〜３８ｄは空気マニホールド３６に、例えば、溶接、ネジ込み等の適宜の固定手段によって、気密に固定される。
【００２１】
例えば、図２に一点鎖線で示す位置に靴Ｓが靴載置部１４に載置され、靴載置部１４が第１位置から第２位置に揺動し、靴検出部１８が靴Ｓを検出すると、空気制御部２４は、電磁弁を開く。電磁弁が開くと、空気マニホールド３６を介して空気ノズル１６ａから１６ｈに圧縮空気が供給され、靴Ｓに向けて圧縮空気が噴出する。この状態で使用者は靴Ｓを、図２に二点鎖線で示すように、前後移動させて、靴Ｓの汚れを取る。このとき使用者は、手すり１２ｃを持って靴Ｓを前後に移動させることができる。使用者が靴Ｓを靴載置部１４から離すと、靴載置部１４が第２位置から第１位置に付勢部材２８の付勢力によって戻る。これによって、空気制御部２４は、電磁弁を閉じ、空気ノズル１６ａから１６ｈからの圧縮空気の噴出を止める。
【００２２】
吸引装置２６は、負圧によって吸引する装置である。吸引装置２６は、内部空間１２ａに貯まった汚れを吸引するために設けられる。吸引装置２６は、フレキシブルダクト４０によってケース１２の内部空間１２ａにつながっている。吸引装置２６は、靴載置部１４に靴Ｓが載置されると、空気制御部２４によってオンされ、靴Ｓが靴載置部１４から離れるとオフする。これにより、ケース１２の内部に落ちた泥、芝生等の汚れが、ケース１２の内部から除去される。
【００２３】
このような構成の本考案の靴清掃装置１０では、複数の空気ノズル１６ａから１６ｈで靴Ｓの汚れを除去するので、空気ノズル１６ａから１６ｈの移動機構が不要になり、汚れを短時間で除去できるとともに靴清掃装置１０の製造コストを低減できる。また、靴Ｓを前後に往復移動させればさらに短時間に汚れを除去できる。
【００２４】
＜他の実施形態＞
以上、本考案の一実施形態について説明したが、本考案は上記実施形態に限定されるものではなく、考案の要旨を逸脱しない範囲で種々の変更が可能である。特に、本明細書に書かれた複数の実施形態及び変形例は必要に応じて任意に組合せ可能である。
【００２５】
（ａ）上記実施形態では、吸引装置によって除去した汚れをケース内から取り除いたが、本考案はこれに限定されない。例えば、ケース内の靴載置部の下方に引き出しを設け、引き出しをケースから取り出すことによって、汚れをケース内から取り除くようにしてもよい。
【００２６】
（ｂ）上記実施形態では、圧縮空気だけで汚れを除去したが、さらに回転ブラシなどのブラシ部材を設けてもよい。
【００２７】
（ｃ）上記実施形態で説明した、空気制御部２４の上記制御は一例であり、例えば、靴検出部１８が靴Ｓを検出すると、所定時間圧縮空気を噴出するようにしてもよい。また、空気ノズル１６ａから１６ｈを個別に制御してもよい。
（ｄ）上記実施形態では靴載置部を昇降させたが、本考案はこれに限定されない。靴載置部を前端側で揺動自在に構成してもよい。
【符号の説明】
【００２８】
１０    靴清掃装置
１２    ケース
１２ａ  内部空間
１２ｂ  開口
１４    靴載置部
１６ａ〜１６ｈ  空気ノズル
１８    靴検出部
２０    吸引装置
２２    空圧源
２４    空気制御部
２６    吸引装置
２８    付勢部材
【図１】
0003193445.tif 000003
【図２】
0003193445.tif 000004
【図３】
0003193445.tif 000005